(57)【特許請求の範囲】
【請求項１】
制御装置と負荷と他の電源装置に接続されるとともに、前記制御装置の制御により前記負荷に電圧を供給する電源装置において、
前記負荷に第１の電圧を供給するとともに、第２の電圧を出力する主電源部と、
前記主電源部の制御を行う主電源制御部と、
前記制御装置に接続され、前記制御装置が出力する制御信号に基づいて前記電源装置の制御を行う電源装置制御部と、
前記主電源部が出力する第２の電圧を入力して、前記主電源制御部に第３の電圧を供給するとともに、第４の電圧を出力する制御電源部と、
レギュレータを備え、前記制御電源部が出力する第４の電圧又は前記他の電源装置が出力する第５の電圧を前記レギュレータに入力することにより、前記第４の電圧又は前記第５の電圧の値に関わらず、前記電源装置制御部に一定の第６の電圧を前記レギュレータから出力するＤＣ／ＤＣ変換部と
を有することを特徴とする電源装置。
【請求項２】
前記制御電源部の出力端子と前記他の電源装置の出力端子は互いに接続されるとともに、
前記電源装置はさらに
前記制御電源部から出力される第４の電圧又は前記他の電源装置から出力される前記第５の電圧を入力して、突入電流が抑止された第４の電圧又は第５の電圧を、前記ＤＣ／ＤＣ変換部に供給する突入電流防止回路を有することを特徴とする請求項１記載の電源装置。
【請求項３】
前記制御電源部の出力端子は、前記他の電源装置から出力される第５の電圧が、前記制御電源部に印加されることによる逆電流の前記制御電源部への流入を防止する逆電流防止部を介して前記他の電源装置の出力端子に接続されることを特徴とする請求項２記載の電源装置。
【請求項４】
制御装置と、負荷に並列接続される第１の電源装置と第２の電源装置を有するとともに、前記制御装置の制御により前記負荷に電圧を供給する電源システムにおいて、
前記第１の電源装置は、
前記負荷に第１の電圧を供給するとともに、第２の電圧を出力する第１の主電源部と、
前記第１の主電源部の制御を行う第１の主電源制御部と、
前記制御装置に接続され、前記制御装置が出力する制御信号に基づいて前記第１の電源装置の制御を行う第１の電源装置制御部と、
前記第１の主電源部が出力する第２の電圧を入力して、前記第１の主電源制御部に第３の電圧を供給するとともに、第４の電圧を出力する第１の制御電源部と、
第１のレギュレータを備え、前記第１の制御電源部が出力する第４の電圧又は前記第２の電源装置が出力する第５の電圧を前記第１のレギュレータに入力することにより、前記第４の電圧又は前記第５の電圧の値に関わらず、前記第１の電源装置制御部に一定の第６の電圧を前記第１のレギュレータから出力する第１のＤＣ／ＤＣ変換部と
を有し、
前記第２の電源装置は、
前記負荷に第１の電圧を供給するとともに、第２の電圧を出力する第２の主電源部と、
前記第２の主電源部の制御を行う第２の主電源制御部と、
前記制御装置に接続され、前記制御装置が出力する制御信号に基づいて前記第２の電源装置の制御を行う第２の電源装置制御部と、
前記第２の主電源部が出力する第２の電圧を入力して、前記第２の主電源制御部に第３の電圧を供給するとともに、第４の電圧を出力する第２の制御電源部と、
第２のレギュレータを備え、前記第１の制御電源部が出力する第４の電圧又は前記第２の電源装置が出力する第５の電圧を前記第２のレギュレータに入力することにより、前記第４の電圧又は前記第５の電圧の値に関わらず、前記第２の電源装置制御部に一定の第６の電圧を前記第２のレギュレータから出力する第２のＤＣ／ＤＣ変換部と
を有することを特徴とする電源システム。
【請求項５】
前記第１の制御電源部の出力端子と前記第２の電源装置の出力端子は互いに接続されるとともに、
前記第１の電源装置はさらに
前記第１の制御電源部から出力される第４の電圧又は前記第２の電源装置から出力される前記第５の電圧を入力して、突入電流が抑止された第４の電圧又は第５の電圧を、前記第１のＤＣ／ＤＣ変換部に供給する第１の突入電流防止回路を有し、
前記第２の電源装置はさらに
前記第１の制御電源部から出力される第４の電圧又は前記第２の電源装置から出力される前記第５の電圧を入力して、突入電流が抑止された第４の電圧又は第５の電圧を、前記第２のＤＣ／ＤＣ変換部に供給する第２の突入電流防止回路を有することを特徴とする請求項４記載の電源システム。
【請求項６】
前記第１の制御電源部の出力端子は、前記第２の電源装置から出力される第５の電圧が、前記第１の制御電源部の出力端子に印加されることによる逆電流の前記第１の制御電源部への流入を防止する第１の逆電流防止部を介して前記第２の電源装置の出力端子に接続されるとともに、
前記第２の制御電源部の出力端子は、前記第１の電源装置から出力される第４の電圧が、前記第２の制御電源部の出力端子に印加されることによる逆電流の前記第２の制御電源部への流入を防止する第２の逆電流防止部を介して前記第１の電源装置の出力端子に接続されることを特徴とする請求項５記載の電源システム。
【請求項７】
制御装置と負荷と他の電源装置に接続されるとともに、前記制御装置の制御により前記負荷に電圧を供給する電源装置の制御方法において、
前記電源装置が有する主電源制御部の制御により、前記電源装置が有する主電源部が、前記負荷に第１の電圧を供給するとともに、第２の電圧を出力するステップと、
前記電源装置が有する制御電源部が、前記主電源部が出力する第２の電圧を入力して、前記主電源制御部に第３の電圧を供給するとともに、第４の電圧を出力するステップと、  レギュレータを備えるＤＣ／ＤＣ変換部が、前記制御電源部が出力する第４の電圧又は前記他の電源装置が出力する第５の電圧を前記レギュレータに入力することにより、前記第４の電圧又は前記第５の電圧の値に関わらず、前記制御装置と接続される電源装置制御部に一定の第６の電圧を前記レギュレータから出力するステップと、
前記電源装置制御部が、前記制御装置が出力する制御信号に基づいて前記電源装置の制御を行うステップと
を有することを特徴とする電源装置の制御方法。
【発明の詳細な説明】
【０００１】
【発明の属する技術分野】
本発明は、サーバ等の情報処理装置へ電力を供給する電源装置、その制御方法および電源システムに関するものであり、特に、並列冗長構成が採られた電源装置、その制御方法および電源システムに関するものである。
【０００２】
近時、インターネットの爆発的な普及にともなって、インターネットの中核をなすサーバ等の情報処理装置には、高い信頼性、コストパフォーマンスが求められている。ここで、情報処理装置の信頼性およびコストは、情報処理装置へ電力を供給する電源装置の信頼性に大きく左右される。したがって、電源装置にも、高い信頼性、コストパフォーマンスが求められている。
【０００３】
【従来の技術】
図５は、従来における電源装置１０の構成を示すブロック図である。この図に示した電源装置１０は、サーバ等の情報処理装置（図示略）に搭載されており、商用交流電圧ＶAC を直流電圧ＶDC に変換し、この直流電圧ＶDCを負荷２０へ供給する装置である。この負荷２０としては、情報処理装置に搭載されるプリント基板回路や、磁気ディスク装置等が挙げられる。
【０００４】
また、電源装置１０は、ｎ台の電源ユニット１１1 〜１１n を備えている。これらの電源ユニット１１1 〜１１n のそれぞれは、同一構成とされており、少なくとも１台の電源ユニットからの直流電圧の出力が停止しても、その他の電源ユニットにより、負荷２０に影響を与えないように並列冗長構成が採られている。また、これらの電源ユニット１１1 〜１１n のそれぞれは、情報処理装置内に設けられた複数のスロットに挿入されており、負荷２０への直流電圧の供給を停止することなく活線保守を行うことができる機能を備えている。
【０００５】
電源ユニット１１1 は、給電端子ＴＡ1 と負荷２０との間に介挿されており、給電端子ＴＡ1 に給電される商用交流電圧ＶAC を直流電圧ＶDC1 に変換し、この直流電圧ＶDC1 を負荷２０へ供給する。電源ユニット１１1 において、主電源１２1 は、ＡＣ／ＤＣ（Alternating Current/Direct Current）変換機能を備えており、商用交流電圧ＶAC を直流電圧ＶDC1 に変換する。また、主電源１２1 は、電源ケーブル（図示略）を介して直流電圧ＶDC1 を負荷２０へ供給する。
【０００６】
主電源制御部１３1 は、主電源１２1 に設けられており、ＡＣ／ＤＣ変換機能のオン／オフ制御、主電源１２1 の異常監視を行う。主電源１２1 に異常が発生した場合、主電源制御部１３1 は、異常検出信号をユニット側制御部１７1 へ送信する。ダイオード１４1 は、主電源１２1 の下流側に設けられており、電源ユニット１１1 が情報処理装置のスロットに挿入された際に突入電流が主電源１２1 に流入するのを防止する素子である。制御電源１５1 は、給電端子ＴＡ1 と主制御部３０との間に介挿されており、給電端子ＴＡ1 に給電される商用交流電圧ＶAC を直流電圧ＶA1 、直流電圧ＶB1 、直流電圧ＶC1 に変換する。
【０００７】
また、制御電源１５1 は、直流電圧ＶA1を主電源制御部１３1 へ、直流電圧ＶB1 をユニット側制御部１７1 へ、直流電圧ＶC1 を主制御部３０のＤＣ／ＤＣ変換部３１へそれぞれ供給する。すなわち、電源ユニット１１1 では、主電源１２1 とは別に、主電源制御部１３1 、ユニット側制御部１７1 および主制御部３０（ＤＣ／ＤＣ変換部３１）という制御系に対して直流電圧を供給する制御電源１５1 が設けられている。なお、制御電源１５1 としては、主電源１２1 からの直流電圧ＶDCを所定の値の直流電圧に変換するＤＣ／ＤＣ変換機能を備えたものも用いられる。
【０００８】
ダイオード１６1 は、制御電源１５1 の下流側に設けられており、電源ユニット１１1 が情報処理装置のスロットに挿入された際に突入電流が制御電源１５1 に流入するのを防止する素子である。ユニット側制御部１７1 は、インタフェース１８1 を介して主制御部３０に接続されており、主電源制御部１３1 と主制御部３０との間の通信インタフェースをとる。
【０００９】
具体的には、ユニット側制御部１７1 は、主制御部３０からのオン／オフ制御信号をインタフェース１８1 を介して受信しこれを主電源制御部１３1 へ送信する機能と、主電源制御部１３1 からの異常検出信号を受信しこれをインタフェース１８1 を介して主制御部３０へ送信する機能とを備えている。
【００１０】
ｎ台目の電源ユニット１１n は、給電端子ＴＡn と負荷２０との間に介挿されており、給電端子ＴＡn に給電される商用交流電圧ＶAC を直流電圧ＶDCn に変換し、この直流電圧ＶDCn を負荷２０へ供給する。電源ユニット１１n において、主電源１２n は、主電源１２1 と同一構成とされており、商用交流電圧ＶAC を直流電圧ＶDCn に変換する。また、主電源１２n は、電源ケーブル（図示略）を介して直流電圧ＶDCn を負荷２０へ供給する。
【００１１】
主電源制御部１３n は、主電源１２n に設けられており、ＡＣ／ＤＣ変換機能のオン／オフ制御、主電源１２n の異常監視を行う。主電源１２n に異常が発生した場合、主電源制御部１３n は、異常検出信号をユニット側制御部１７n へ送信する。ダイオード１４n は、主電源１２n の下流側に設けられており、電源ユニット１１n が情報処理装置のスロットに挿入された際に突入電流が主電源１２n に流入するのを防止する素子である。制御電源１５n は、給電端子ＴＡn と主制御部３０との間に介挿されており、給電端子ＴＡn に給電される商用交流電圧ＶAC を直流電圧ＶAn 、直流電圧ＶBn 、直流電圧ＶCn に変換する。
【００１２】
また、制御電源１５n は、直流電圧ＶAnを主電源制御部１３n へ、直流電圧ＶBnをユニット側制御部１７n へ、直流電圧ＶCnを主制御部３０のＤＣ／ＤＣ変換部３１へそれぞれ供給する。すなわち、電源ユニット１１n では、電源ユニット１１1 と同様にして、主電源１２n とは別に、主電源制御部１３n 、ユニット側制御部１７n および主制御部３０（ＤＣ／ＤＣ変換部３１）という制御系に対して直流電圧を供給する制御電源１５n が設けられている。
【００１３】
ダイオード１６n は、制御電源１５n の下流側に設けられており、電源ユニット１１n が情報処理装置のスロットに挿入された際に突入電流が制御電源１５n に流入するのを防止する素子である。ユニット側制御部１７n は、インタフェース１８n を介して主制御部３０に接続されており、主電源制御部１３n と主制御部３０との間の通信インタフェースをとる。
【００１４】
具体的には、ユニット側制御部１７n は、主制御部３０からのオン／オフ制御信号をインタフェース１８n を介して受信しこれを主電源制御部１３n へ送信する機能と、主電源制御部１３n からの異常検出信号を受信しこれをインタフェース１８n を介して主制御部３０へ送信する機能とを備えている。
【００１５】
主制御部３０は、インタフェース１８1 〜１８n を介してユニット側制御部１７1 〜１７n に接続されており、電源ユニット１１1 〜１１n （主電源１２1 〜１２n ）のオン／オフ制御、異常監視を行う。ＤＣ／ＤＣ変換部３１は、主制御部３０に設けられており、制御電源１５1 〜１５n から供給される直流電圧ＶC （直流電圧ＶC1〜ＶCn）を所定の値の直流電圧に変換し、これを主制御部３０の各部へ供給する。
【００１６】
上記構成において、給電端子ＴＡ1 に給電された商用交流電圧ＶAC は、制御電源１５1 により直流電圧ＶA1 、直流電圧ＶB1 および直流電圧ＶC1 に変換される。これらの直流電圧ＶA1 、直流電圧ＶB1 および直流電圧ＶC1 は、主電源制御部１３1 、ユニット側制御部１７1 およびＤＣ／ＤＣ変換部３１へ供給される。これにより、主電源制御部１３1 、ユニット側制御部１７1 、および主制御部３０は、動作可能な状態になる。このとき、主電源１２1 のＡＣ／ＤＣ変換機能がオフ状態にあり、主電源１２1 からは、直流電圧ＶDC1 が出力されていないものとする。
【００１７】
また、上記動作に並行して、電源ユニット１１2 （図示略）〜１１n においても、電源ユニット１１1 と同様の動作が行われる。すなわち、給電端子ＴＡn に給電された商用交流電圧ＶAC は、制御電源１５n により直流電圧ＶAn 、直流電圧ＶBn および直流電圧ＶCn に変換される。これらの直流電圧ＶAn 、直流電圧ＶBn および直流電圧ＶCn は、主電源制御部１３n 、ユニット側制御部１７n および主制御部３０（ＤＣ／ＤＣ変換部３１）へ供給される。これにより、主電源制御部１３n 、ユニット側制御部１７n が動作可能な状態になる。このとき、主電源１２n のＡＣ／ＤＣ変換機能がオフ状態にあり、主電源１２n からは、直流電圧ＶDCn が出力されていないものとする。なお、主制御部３０は、すでに動作可能状態とされている。
【００１８】
そして、主制御部３０の起動スイッチ（図示略）が押下されると、所定のシーケンスに従って、主制御部３０からは、インタフェース１８1 〜１８n を介して、ユニット側制御部１７1 〜１７n のそれぞれへオン信号が送信される。そして、上記オン信号を受信すると、ユニット側制御部１７1 は、主電源制御部１３1 へオン信号を送信する。このオン信号を受信すると、主電源制御部１３1 は、主電源１２1 のＡＣ／ＤＣ変換機能をオンにする。これにより、主電源１２1 は、給電端子ＴＡ1 に給電されている商用交流電圧ＶAC を直流電圧ＶDC1 に変換した後、これをダイオード１４1 およびケーブル（図示略）を介して、負荷２０へ供給する。
【００１９】
また、電源ユニット１１1 の動作と並行して、電源ユニット１１2 （図示略）〜１１n においても、電源ユニット１１1 と同様の動作が行われる。すなわち、主制御部３０からのオン信号を受信すると、ユニット側制御部１７n は、主電源制御部１３n へオン信号を送信する。このオン信号を受信すると、主電源制御部１３n は、主電源１２n のＡＣ／ＤＣ変換機能をオンにする。これにより、主電源１２n は、給電端子ＴＡn に給電されている商用交流電圧ＶAC を直流電圧ＶDCn に変換した後、これをダイオード１４n およびケーブル（図示略）を介して、負荷２０へ供給する。
【００２０】
ここで、主電源１２1 に異常が発生し、主電源１２1 からの直流電圧ＶDC1 の出力が停止すると、主電源制御部１３1 は、異常検出信号をユニット側制御部１７1 へ送信する。この異常検出信号を受信すると、ユニット側制御部１７1 は、異常検出信号をインタフェース１８1 を介して、主制御部３０へ送信する。そして、異常検出信号を受信すると、主制御部３０は、主電源１２1 に異常が発生したことを示す主電源異常アラームを報知する。
【００２１】
つぎに、従来における電源装置の別の構成例について図６を参照して説明する。図６は、従来の電源装置４０の構成を示すブロック図である。この図において、図５の各部に対応する部分には同一の符号を付ける。図６においては、外部制御電源５０1 および５０2 ならびに給電端子ＴＢ1 および給電端子ＴＢ2 が新たに設けられているとともに、図５に示した電源ユニット１１1 〜１１n に代えて電源ユニット４１1 〜４１n が設けられている。
【００２２】
外部制御電源５０1 は、給電端子ＴＢ1 に給電される商用交流電圧ＶAC を直流電圧ＶG1 に変換し、これをユニット側制御部１７1 〜１７n および主制御部３０のＤＣ／ＤＣ変換部３１（主制御部３０）という制御系へケーブル（図示略）を介して供給する。この外部制御電源５０1 は、商用交流電圧ＶACを直流電圧ＶG1に変換するＡＣ／ＤＣ変換部５１1 と、ＡＣ／ＤＣ変換部５１1 の下流側に設けられたダイオード５２1 とから構成されている。このダイオード５２1 は、突入電流防止用の素子である。
【００２３】
外部制御電源５０2 は、外部制御電源５０1 に併設されており、給電端子ＴＢ2 に給電される商用交流電圧ＶAC を直流電圧ＶG2 に変換し、これをユニット側制御部１７1 〜１７n およびＤＣ／ＤＣ変換部３１（主制御部３０）という制御系へケーブル（図示略）を介して供給する。この外部制御電源５０2 は、商用交流電圧ＶAC を直流電圧ＶG2 に変換するＡＣ／ＤＣ変換部５１2 と、ＡＣ／ＤＣ変換部５１2 の下流側に設けられたダイオード５２2 とから構成されている。このダイオード５２2 は、突入電流防止用の素子である。
【００２４】
これらの外部制御電源５０1 および５０2 は、並列冗長構成とされている。したがって、外部制御電源５０1 および５０2 のうち、一方からの直流電圧の出力が停止しても、他方により、ユニット側制御部１７1 〜１７n および主制御部３０への直流電圧の安定供給が行われる。
【００２５】
電源ユニット４１1 において、突入電流防止回路４２1 は、ユニット側制御部１７1 の下流側に設けられており、電源ユニット４１1 が情報処理装置のスロットに挿入された際に突入電流がユニット側制御部１７1 に流入するのを防止する素子である。ユニット側制御部１７1 には、ケーブル（図示略）および突入電流防止回路４２1 を介して、外部制御電源５０1 および５０2 からの直流電圧ＶG1 および直流電圧ＶG2 が直流電圧ＶB1 として供給される。
【００２６】
電源ユニット４１n において、突入電流防止回路４２n は、ユニット側制御部１７n の下流側に設けられており、電源ユニット４１n が情報処理装置のスロットに挿入された際に突入電流がユニット側制御部１７n に流入するのを防止する素子である。ユニット側制御部１７n には、ケーブル（図示略）および突入電流防止回路４２n を介して、外部制御電源５０1 および５０2 からの直流電圧ＶG1および直流電圧ＶG2 が直流電圧ＶBn として供給される。また、主制御部３０のＤＣ／ＤＣ変換部３１には、ケーブル（図示略）を介して、外部制御電源５０1 および５０2 からの直流電圧ＶG1 およびＶG2 が直流電圧ＶC として供給される。
【００２７】
上記構成において、給電端子ＴＡ1 に給電された商用交流電圧ＶAC は、制御電源１５1 により直流電圧ＶA1 に変換される。この直流電圧ＶA1 は、主電源制御部１３1 へ供給される。これにより、主電源制御部１３1 は、動作可能な状態となる。このとき、主電源１２1 のＡＣ／ＤＣ変換機能がオフ状態にあり、主電源１２1 からは、直流電圧ＶDC1 が出力されていないものとする。
【００２８】
また、上記動作に並行して、電源ユニット４１2 （図示略）〜４１n においても、電源ユニット４１1 と同様の動作が行われる。すなわち、給電端子ＴＡn に給電された商用交流電圧ＶAC は、制御電源１５n により直流電圧ＶAn に変換される。この直流電圧ＶAnは、主電源制御部１３n へ供給される。これにより、主電源制御部１３n は、動作可能な状態になる。このとき、主電源１２n のＡＣ／ＤＣ変換機能がオフ状態にあり、主電源１２n からは、直流電圧ＶDCn が出力されていないものとする。
【００２９】
また、上述した制御電源１５1 〜１５n の動作に並行して、給電端子ＴＢ1 に給電された商用交流電圧ＶAC は、外部制御電源５０1 のＡＣ／ＤＣ変換部５１1 により直流電圧ＶG1 に変換される。同様にして、給電端子ＴＢ2 に給電された商用交流電圧ＶAC は、外部制御電源５０2 のＡＣ／ＤＣ変換部５１2 により直流電圧ＶG2 に変換される。
【００３０】
そして、上記直流電圧ＶG1 およびＶG2 は、ダイオード５２1 および５２2 ならびにケーブル（図示略）を介して、主制御部３０のＤＣ／ＤＣ変換部３１へ直流電圧ＶC として供給される。これにより、主制御部３０は、動作可能状態となる。さらに、直流電圧ＶG1 およびＶG2 は、ダイオード５２1 および５２2 、ケーブル（図示略）ならびに突入電流防止回路４２1 〜４２n を介して、ユニット側制御部１７1 〜１７n へ直流電圧ＶB1〜ＶBnとして供給される。これにより、ユニット側制御部１７1 〜１７n は、動作可能状態となる。
【００３１】
そして、主制御部３０の起動スイッチ（図示略）が押下されると、所定のシーケンスに従って、主制御部３０からは、インタフェース１８1 〜１８n を介して、ユニット側制御部１７1 〜１７n のそれぞれへオン信号が送信される。これにより、前述した動作を経て、主電源１２1 〜１２n からは、直流電圧ＶDC1 〜ＶDCn が出力される。これらの直流電圧ＶDC1 〜ＶDCn は、直流電圧ＶDC として負荷２０へ供給される。
【００３２】
ここで、制御電源１５1 に異常が発生すると、ユニット側制御部１７1 は、主電源制御部１３1 との間で通信ができないという通信異常状態になる。このとき、ユニット側制御部１７1 は、外部制御電源５０1 および５０2 から直流電圧ＶG1 およびＶG2が供給されているため、制御電源１５1 の異常に関わらず、動作可能状態にある。そして、上記通信異常を検出すると、ユニット側制御部１７1 は、電源ユニット４１1 内部で異常が発生したことを示す異常検出信号をインタフェース１８1 を介して主制御部３０へ送信する。この異常検出信号を受信すると、主制御部３０は、電源ユニット４１1 に異常が発生したことを示す電源ユニット異常アラームを報知する。
【００３３】
【発明が解決しようとする課題】
ところで、前述したように、図５に示した従来の電源装置１０では、電源ユニット１１1 内で一つの制御電源１５1 から主電源制御部１３1 およびユニット側制御部１７1 の双方へ直流電圧の供給を行う構成であるため、たとえば、制御電源１５1 が故障すると、主電源制御部１３1 およびユニット側制御部１７1 の双方の機能が同時に停止する。
【００３４】
したがって、この場合には、ユニット側制御部１７1 から主制御部３０へ異常検出信号が出力されないため、主制御部３０では、電源ユニット１１1 内の異常を全く認識することができないという保守上極めて重大な問題が発生する。
【００３５】
これに対して、図６に示した電源装置４０では、外部制御電源５０1 および５０2 と制御電源１５1 という二系統の電源により、主電源制御部１３1 およびユニット側制御部１７1 へ直流電圧を個別的に供給する構成であるため、上述した電源装置１０のような問題が発生しない。
【００３６】
しかしながら、電源装置４０では、電源ユニット４１1 〜４１n に対して、外部制御電源５０1 および５０2 を別設する構成を採っているため、電源装置１０に比して電源数が増加するとともに余分なスペース、ケーブルを必要とすることから、コストが高くつくという問題があった。
【００３７】
本発明は、上記に鑑みてなされたもので、コストを低減することができるとともに、信頼性を高めることができる電源装置、その制御方法および電源システムを提供することを目的とする。
【００３８】
【課題を解決するための手段】
上記目的を達成するために、本願発明の態様の一つは、負荷へ供給すべき負荷用電圧を発生する主電源（後述する実施の形態１の主電源１２1〜１２nに相当）と、各部の異常監視の結果を外部へ通知する制御手段（後述する実施の形態１のユニット側制御部１７1〜１７nに相当）と、前記制御手段へ供給すべき制御用電圧を発生する制御電源（後述する実施の形態１の制御電源１５1〜１５nに相当）とをそれぞれ有し並列冗長構成とされた複数の電源ユニット（後述する実施の形態１の電源ユニット１０１1〜１０１nに相当）を備える電源装置において、前記複数の電源ユニット内のそれぞれの制御手段は、自電源ユニットの制御電源に加えて、他の電源ユニット内の制御電源に並列的に接続されていることを特徴とする。
【００３９】
この発明によれば、複数の電源ユニット内の主電源のそれぞれからは、負荷用電圧が負荷へ供給される。また、複数の電源ユニット内の制御電源のそれぞれからは、制御用電圧が制御手段へ供給される。ここで、一つの電源ユニット内の制御手段に着目すれば、該制御手段は、自電源ユニット内の制御電源から制御用電圧の供給を受けているとともに、他の電源ユニット内の制御電源からも制御用電圧の供給を受けている。
【００４０】
ここで、自電源ユニット内の制御電源で異常が発生し、該制御電源からの制御用電圧の出力が停止した場合であっても、自電源ユニット内の制御手段には、他の電源ユニット内の制御電源から制御用電圧が供給される。すなわち、当該制御手段は、自電源ユニット内の制御電源の異常にかかわらず、正常に動作し続ける。したがって、当該制御手段は、自電源ユニット内の異常を検出し、この監視結果を外部へ通知する。
【００４１】
このように、本願発明の態様の一つによれば、自電源ユニット内の制御電源に加えて、他の電源ユニット内の制御電源からも自電源ユニット内の制御手段へ制御用電圧を並列的に供給するように構成したので、自電源ユニット内の制御電源に異常が発生した場合であっても、当該制御手段が、他の電源ユニット内の制御電源から制御用電圧の供給を受けることができ、自電源ユニット内の異常を外部に通知することができることから、信頼性を高めることができる。
【００４２】
また、本願発明の態様の一つによれば、他の電源ユニット内の制御電源からバックアップ用としての制御用電圧を自電源ユニット内の制御手段へ供給するように構成したので、従来のように外部に制御電源を別設した場合に比して、電源数、ケーブル数を減らすことができることから、コストを低減することができる。
【００４３】
また、本願発明の態様の一つは、前記制御手段の手前に介挿され、入力される制御用電圧を一定の制御用電圧に変換し、該制御用電圧を前記制御手段へ供給する変換手段（後述する実施の形態２のＤＣ／ＤＣ変換部２０２1〜２０２nに相当）を備えることを特徴とする。
【００４４】
この発明によれば、複数の電源ユニット内の主電源のそれぞれからは、負荷用電圧が負荷へ供給される。また、複数の電源ユニット内の制御電源のそれぞれからは、制御用電圧が変換手段を経由して制御手段へ供給される。ここで、一つの電源ユニット内の制御手段に着目すれば、該制御手段は、自電源ユニット内の制御電源から制御用電圧の供給を受けているとともに、他の電源ユニット内の制御電源からも制御用電圧の供給を受けている。
【００４５】
ここで、自電源ユニット内の制御電源で異常が発生し、該制御電源からの制御用電圧の出力が停止した場合であっても、自電源ユニット内の制御手段には、他の電源ユニット内の制御電源から制御用電圧が変換手段経由で供給される。このとき、変換手段は、入力される制御用電圧を一定の制御用電圧に変換し、これを制御手段へ供給する。
【００４６】
したがって、自電源ユニット内の制御手段と他の電源ユニット内の制御電源との間にラインドロップが生じた場合であっても、このラインドロップの影響を受けることなく、自電源ユニット内の制御手段には、常に一定の制御用電圧が供給される。すなわち、当該制御手段は、自電源ユニット内の制御電源の異常にかかわらず、正常に動作し続ける。したがって、当該制御手段は、自電源ユニット内の異常を検出し、この監視結果を外部へ通知する。
【００４７】
このように、本願発明の態様の一つによれば、変換手段を設けてラインドロップ分を補償し、常に一定の制御用電圧を制御手段に供給するようにしたので、さらに信頼性を高めることができる。
【００４８】
また、本願発明の態様の一つは、前記主電源、前記制御電源および前記制御手段のそれぞれの下流側には、突入電流の流入を防止する突入電流防止手段（後述する実施の形態１および２のダイオード１４1〜１４n、ダイオード１６1〜１６nおよび突入電流防止回路１０２1〜１０２nに相当）が設けられていることを特徴とする。
【００４９】
この発明によれば、突入電流防止手段を設けて、電源ユニットを活線接続した場合であっても、電源ユニットへの突入電流の流入を防止するようにしたので、活線保守を安全に遂行することができる。
【００５０】
また、本願発明の態様の一つは、負荷へ供給すべき負荷用電圧を発生する主電源と、各部の異常監視の結果を外部へ通知する制御手段と、前記制御手段へ供給すべき制御用電圧を発生する制御電源とを有し、他の電源ユニットとともに並列冗長構成の一部をなす電源ユニットを備える電源装置において、前記制御手段は、自電源ユニットの制御電源に加えて、他の電源ユニット内の制御電源に並列的に接続されていることを特徴とする。
【００５１】
この発明によれば、自電源ユニット内の制御電源に加えて、他の電源ユニット内の制御電源からも自電源ユニット内の制御手段に制御用電圧が並列的に供給されるように構成したので、自電源ユニット内の制御電源に異常が発生した場合であっても、当該制御手段が、他の電源ユニット内の制御電源から制御用電圧の供給を受けることができ、自電源ユニット内の異常を外部に通知することができることから、信頼性を高めることができる。
【００５２】
また、この発明によれば、他の電源ユニット内の制御電源からバックアップ用としての制御用電圧を自電源ユニット内の制御手段へ供給するように構成したので、従来のように外部に制御電源を別設した場合に比して、電源数、ケーブル数を減らすことができることから、コストを低減することができる。
【００５３】
また、本願発明の態様の一つは、各部の異常監視の結果を外部へ通知する制御手段と、前記制御手段へ供給すべき制御用電圧を発生する制御電源とを有し、他の電源ユニットとともに並列冗長構成の一部をなす電源ユニットを備える電源装置において、前記制御手段は、自電源ユニットの制御電源に加えて、他の電源ユニット内の制御電源に並列的に接続されていることを特徴とする。
【００５４】
この発明によれば、自電源ユニット内の制御電源に加えて、他の電源ユニット内の制御電源からも自電源ユニット内の制御手段に制御用電圧が並列的に供給されるように構成したので、自電源ユニット内の制御電源に異常が発生した場合であっても、当該制御手段が、他の電源ユニット内の制御電源から制御用電圧の供給を受けることができ、自電源ユニット内の異常を外部に通知することができることから、信頼性を高めることができる。
【００５５】
また、この発明によれば、他の電源ユニット内の制御電源からバックアップ用としての制御用電圧を自電源ユニット内の制御手段へ供給するように構成したので、従来のように外部に制御電源を別設した場合に比して、電源数、ケーブル数を減らすことができることから、コストを低減することができる。
【００５６】
【発明の実施の形態】
以下、図面を参照して本発明にかかる電源装置、その制御方法および電源システムの実施の形態１および２について詳細に説明する。
【００５７】
（実施の形態１）
図１は、本発明にかかる実施の形態１の構成を示すブロック図である。この図に示した電源装置１００においては、図５の各部に対応する部分には同一の符号を付ける。図１においては、図５に示した電源ユニット１１1 〜１１n に代えて、電源ユニット１０１1 〜１０１n が設けられているとともに、突入電流防止回路１０２1 〜１０２n が新たに設けられている。
【００５８】
電源ユニット１０１1 において、突入電流防止回路１０２1 は、ダイオード１６1 のカソードとユニット側制御部１７1 との間に介挿されており、電源ユニット１０１1 が情報処理装置（図示略）のスロットに挿入された際に突入電流がユニット側制御部１７1 に流入するのを防止する素子である。
【００５９】
また、ユニット側制御部１７1 には、給電経路Ｌ11 またはバックアップ用給電経路Ｌ12 という二系統の給電経路を介して直流電圧が供給される。すなわち、ユニット側制御部１７1 には、給電経路Ｌ11（ダイオード１６1 ）を経由して制御電源１５1 からの直流電圧ＶB1 が供給される。一方、制御電源１５1 が故障し、給電経路Ｌ11 経由の給電が停止した場合、ユニット側制御部１７1 には、給電経路Ｌ11 に代えてバックアップ用給電経路Ｌ12 を経由して、制御電源１５2 （図示略）〜１５n からのバックアップ用直流電圧ＶB1’が供給される。
【００６０】
電源ユニット１０１n において、突入電流防止回路１０２n は、突入電流防止回路１０２1 と同様にして、ダイオード１６n のカソードとユニット側制御部１７n との間に介挿されており、電源ユニット１０１n が情報処理装置のスロットに挿入された際に突入電流がユニット側制御部１７n に流入するのを防止する素子である。
【００６１】
また、ユニット側制御部１７n には、給電経路Ｌn1またはバックアップ用給電経路Ｌn2という二系統の給電経路を介して直流電圧が供給される。すなわち、ユニット側制御部１７n には、給電経路Ｌn1（ダイオード１６n ）を経由して制御電源１５n からの直流電圧ＶBnが供給される。
【００６２】
一方、制御電源１５n が故障し、給電経路Ｌn1経由の給電が停止した場合、ユニット側制御部１７n には、給電経路Ｌn1に代えてバックアップ用給電経路Ｌn2を経由して、制御電源１５1 〜１５n-1 （図示略）からのバックアップ用直流電圧ＶBn’が供給される。なお、電源ユニット１０１2 〜１０１n-1 (いずれも図示略）のそれぞれの構成は、上述した電源ユニット１０１1 および電源ユニット１０１n の構成と同一である。
【００６３】
上記構成において、給電端子ＴＡ1 に給電された商用交流電圧ＶACは、制御電源１５1 により直流電圧ＶA1、直流電圧ＶB1および直流電圧ＶC1に変換される。これらの直流電圧ＶA1および直流電圧ＶC1は、主電源制御部１３1 およびＤＣ／ＤＣ変換部３１へ供給される。これにより、主電源制御部１３1 および主制御部３０は、動作可能な状態になる。
【００６４】
また、制御電源１５1 からの直流電圧ＶB1は、給電経路Ｌ11を経由し、突入電流防止回路１０２1 を介してユニット側制御部１７1 へ供給される。このとき、主電源１２1 のＡＣ／ＤＣ変換機能がオフ状態にあり、主電源１２1 からは、直流電圧ＶDC1 が出力されていないものとする。
【００６５】
また、上記動作に並行して、電源ユニット１０１2 （図示略）〜１０１n においても、電源ユニット１０１1 と同様の動作が行われる。すなわち、給電端子ＴＡn に給電された商用交流電圧ＶACは、制御電源１５n により直流電圧ＶAn、直流電圧ＶBnおよび直流電圧ＶCnに変換される。これらの直流電圧ＶAnおよび直流電圧ＶCnは、主電源制御部１３n およびＤＣ／ＤＣ変換部３１へ供給される。
【００６６】
これにより、主電源制御部１３n および主制御部３０は、動作可能な状態になる。また、制御電源１５n からの直流電圧ＶBnは、給電経路Ｌn1を経由し、突入電流防止回路１０２n を介してユニット側制御部１７n へ供給される。このとき、主電源１２n のＡＣ／ＤＣ変換機能がオフ状態にあり、主電源１２n からは、直流電圧ＶDCn が出力されていないものとする。
【００６７】
そして、主制御部３０の起動スイッチ（図示略）が押下されると、所定のシーケンスに従って、主制御部３０からは、インタフェース１８1 〜１８n を介して、ユニット側制御部１７1 〜１７n のそれぞれへオン信号が送信される。そして、上記オン信号を受信すると、ユニット側制御部１７1 は、主電源制御部１３1 へオン信号を送信する。このオン信号を受信すると、主電源制御部１３1 は、主電源１２1 のＡＣ／ＤＣ変換機能をオンにする。これにより、主電源１２1 は、給電端子ＴＡ1 に給電されている商用交流電圧ＶACを直流電圧ＶDC1 に変換した後、これをダイオード１４1 およびケーブル（図示略）を介して、負荷２０へ供給する。
【００６８】
また、電源ユニット１０１1 の動作と並行して、電源ユニット１０１2 （図示略）〜１０１n においても、電源ユニット１０１1 と同様の動作が行われる。すなわち、主制御部３０からのオン信号を受信すると、ユニット側制御部１７n は、主電源制御部１３n へオン信号を送信する。このオン信号を受信すると、主電源制御部１３n は、主電源１２n のＡＣ／ＤＣ変換機能をオンにする。これにより、主電源１２n は、給電端子ＴＡn に給電されている商用交流電圧ＶACを直流電圧ＶDCn に変換した後、これをダイオード１４n およびケーブル（図示略）を介して、負荷２０へ供給する。
【００６９】
ここで、制御電源１５1 に異常が発生すると、制御電源１５1 から主電源制御部１３1およびユニット側制御部１７1 への直流電圧の供給が停止する。このとき、ユニット側制御部１７1には、給電経路Ｌ11に代えてバックアップ用給電経路Ｌ12で、制御電源１５2 （図示略）〜１５n からのバックアップ用直流電圧ＶB1’が供給される。したがって、ユニット側制御部１７1 は、制御電源１５1 の異常に関わらず、正常動作し続ける。
【００７０】
また、ユニット側制御部１７1 は、主電源制御部１３1 との間で通信ができないという通信異常状態になる。これにより、ユニット側制御部１７1 は、電源ユニット１０１1 内部で異常が発生したことを示す異常検出信号をインタフェース１８1 を介して主制御部３０へ送信する。この異常検出信号を受信すると、主制御部３０は、電源ユニット１０１1 に異常が発生したことを示す電源ユニット異常アラームを報知する。
【００７１】
以上説明したように、実施の形態１によれば、自電源ユニット（たとえば、電源ユニット１０１1 ）内の制御電源１５1 からの直流電圧ＶB1に加えて、他の電源ユニット１０１2 〜１０１n 内の制御電源１５2 （図示略）〜１５n からもバックアップ用直流電圧ＶB1’をユニット側制御部１７1 へ並列的に供給するように構成したので、制御電源１５1 に異常が発生した場合であっても、ユニット側制御部１７1 が、他の制御電源１５2 〜１５n からバックアップ用直流電圧ＶB1’の供給を受けることができ、電源ユニット１０１1 内の異常を外部に通知することができることから、信頼性を高めることができる。
【００７２】
また、実施の形態１にかかる発明によれば、従来の電源装置４０（図６参照）のように外部に外部制御電源５０1 および５０2 を別設した場合に比して、電源数、ケーブル数を減らすことができることから、コストを低減することができる。
【００７３】
また、実施の形態１によれば、ダイオード１４1 〜１４n 、ダイオード１６1 〜１６n および突入電流防止回路１０２1 〜１０２n を設けて、電源ユニット１０１1 〜１０１n を活線接続した場合であっても、電源ユニット１０１1 〜１０１nへの突入電流の流入を防止するようにしたので、活線保守を安全に遂行することができる。
【００７４】
（実施の形態２）
図２は、本発明にかかる実施の形態２の構成を示すブロック図である。図３は、同実施の形態２の具体的構成を示す回路図である。これらの図に示した電源装置２００においては、図１の各部に対応する部分には同一の符号を付ける。図２においては、図１に示した電源ユニット１０１1 〜１０１n および制御電源１５1 〜１５n 代えて、電源ユニット２０１1 〜２０１n および制御電源２０３1 〜２０３n が設けられているとともに、ＤＣ／ＤＣ変換部２０２1 〜２０２n が新たに設けられている。
【００７５】
図３に示した主電源１２1 は、商用交流電圧ＶAC を全波整流するダイオードブリッジ回路２０９と、チョークコイル２１０と、後述するＯＮ／ＯＦＦ制御部２２０によりスイッチング制御され、力率改善を行うためのスイッチング素子２１１と、平滑コンデンサ２１２と、ダイオード２１３と、変圧トランス２１４とを有している。さらに、変圧トランス２１４の一次側巻線２１４ａには、直流電圧ＶDC1 を安定化させるためのスイッチング素子２１５が介挿されている。また、変圧トランス２１４の二次側巻線２１４ｂには、ダイオード２１６、２１７、チョークコイル２１８および平滑コンデンサ２１９からなる整流・平滑回路が接続されている。
【００７６】
主電源制御部１３1 において、ＯＮ／ＯＦＦ制御部２２０および２２１は、後述するユニット側制御部１７1 からのオン／オフ制御信号に基づいて、スイッチング素子２１１および２１５をオン／オフ制御する。電圧異常監視回路２２２は、基準直流電源２２３の基準直流電圧と直流電圧ＶDC1 とを比較した結果に基づいて、過電圧や低電圧といった電圧異常を監視する回路である。この電圧異常監視回路２２２は、電圧異常を検出した場合、監視結果として異常検出信号をユニット側制御部１７1 のＭＰＵ（Micro Processing Unit）２４０へ送信する。
【００７７】
制御電源２０３1 は、主電源１２1 とＤＣ／ＤＣ変換部３１との間に介挿されており、主電源１２1 の平滑コンデンサ２１２の端子間電圧（直流電圧ＶD1 ：例えば、３８０Ｖ）を入力とし、この直流電圧ＶD1 を所定値の直流電圧ＶA1 、直流電圧ＶC1 にそれぞれ変換するＤＣ／ＤＣ変換機能を備えている。この制御電源２０３1 は、一次巻線２２４ａ、二次巻線２２４ｂおよび２２４ｃを有する変圧トランス２２４を備えている。この一次巻線２２４ａ には、直流電圧ＶA1 、直流電圧ＶC1 を安定化させるためのスイッチング素子２２５が介挿されている。このスイッチング素子２２５は、ＯＮ／ＯＦＦ制御部２２６により、オン／オフ制御される。
【００７８】
二次巻線２２４ｂには、ダイオード２２７および平滑コンデンサ２２８からなる整流・平滑回路が接続されている。この整流・平滑回路からの直流電圧ＶA1 は、主電源制御部１３1 の各部へ供給される。また、二次巻線２２４ｃには、ダイオード２２９および平滑コンデンサ２３０からなる整流・平滑回路が接続されている。この整流・平滑回路からの直流電圧ＶC1 は、ダイオード１６1 を介してＤＣ／ＤＣ変換部３１（主制御部３０）へ供給される。
【００７９】
電圧異常監視回路２４２は、基準直流電源２４３の基準直流電圧と直流電圧ＶC1 とを比較した結果に基づいて、過電圧や低電圧といった電圧異常を監視する回路である。この電圧異常監視回路２４２は、電圧異常を検出した場合、監視結果として異常検出信号をユニット側制御部１７1 のＭＰＵ２４０へ送信する。
【００８０】
突入電流防止回路１０２1 は、抵抗２３１〜２３４、コンデンサ２３５およびスイッチング素子２３６から構成されており、抵抗２３１〜２３４およびコンデンサ２３５の時定数によりスイッチング素子２３６がオン／オフ制御されることにより、突入電流を抑制する。
【００８１】
ＤＣ／ＤＣ変換部２０２1 は、図４に示したように、入力される直流電圧ＶB1またはバックアップ用直流電圧ＶB1’を一定値の直流定電圧ＶIN1 に変換するというＤＣ／ＤＣ変換機能を備えている。直流定電圧ＶIN1 は、ユニット側制御部１７1 の動作保証電圧であり、たとえば、５Ｖである。ＤＣ／ＤＣ変換部２０２1 は、コンデンサ２３７、２３８およびレギュレータ２３９から構成されており、このレギュレータ２３９は、直流定電圧ＶIN1 を安定化させるための電源素子である。
【００８２】
ユニット側制御部１７1 は、インタフェース１８1 を介して主制御部３０に接続されており、主電源制御部１３1 と主制御部３０との間の通信インタフェースをとる。このユニット側制御部１７1 は、ＭＰＵ２４０およびインタフェース制御部２４１から構成されている。
【００８３】
具体的には、インタフェース制御部２４１は、主制御部３０からのオン／オフ制御信号をインタフェース１８1 を介して受信しこれをＭＰＵ２４０に渡す。ＭＰＵ２４０は、上記オン／オフ制御信号を主電源制御部１３1 のＯＮ／ＯＦＦ制御部２２０および２２１へ送信する。また、ＭＰＵ２４０は、主電源制御部１３1 の電圧異常監視回路２２２、２４２からの異常検出信号を受信しこれをインタフェース制御部２４１に渡す。インタフェース制御部２４１は、上記異常検出信号をインタフェース１８1 を介して主制御部３０へ送信する。
【００８４】
同様にして、電源ユニット２０１n において、ＤＣ／ＤＣ変換部２０２n は、図４に示したように、入力される直流電圧ＶＢn またはバックアップ用直流電圧ＶＢn’を一定値の直流定電圧ＶINn に変換する。直流定電圧ＶINn は、ユニット側制御部１７n の動作保証電圧であり、たとえば、５Ｖである。制御電源２０３n は、主電源１２n とＤＣ／ＤＣ変換部３１との間に介挿されており、主電源１２n からの直流電圧ＶDn （例えば、３８０Ｖ）を入力とし、この直流電圧ＶDn を所定値の直流電圧ＶAn 、直流電圧ＶCn にそれぞれ変換するＤＣ／ＤＣ変換機能を備えている。なお、電源ユニット２０１n の各部の詳細な構成は、前述した電源ユニット２０１1 の各部の詳細な構成と同一である。
【００８５】
上記構成において、図２に示した給電端子ＴＡ1 に給電された商用交流電圧ＶACは、制御電源２０３1 により直流電圧ＶA1、直流電圧ＶB1および直流電圧ＶC1に変換される。これらの直流電圧ＶA1および直流電圧ＶC1は、主電源制御部１３1 およびＤＣ／ＤＣ変換部３１へ供給される。これにより、主電源制御部１３1 および主制御部３０は、動作可能な状態になる。
【００８６】
また、制御電源２０３1 からの直流電圧ＶB1は、給電経路Ｌ11を経由し、突入電流防止回路１０２1 を介してＤＣ／ＤＣ変換部２０２1 へ供給される。ここで、給電経路Ｌ11におけるラインドロップは、経路長が短いため、ほぼ０Ｖである。また、直流電圧ＶB1は、図４に示した８Ｖであるものとする。そして、直流電圧ＶB1は、ＤＣ／ＤＣ変換部２０２1 により、図４に示した５Ｖの直流定電圧ＶIN1 に変換される。この直流定電圧ＶIN1 がユニット側制御部１７1 に供給されることにより、ユニット側制御部１７1 は、動作可能状態となる。このとき、主電源１２1 のＡＣ／ＤＣ変換機能がオフ状態にあり、主電源１２1 からは、直流電圧ＶDC1 が出力されていないものとする。
【００８７】
また、上記動作に並行して、電源ユニット２０１2 （図示略）〜２０１n においても、電源ユニット２０１1 と同様の動作が行われる。給電端子ＴＡn に給電された商用交流電圧ＶACは、制御電源２０３n により直流電圧ＶAn、直流電圧ＶBnおよび直流電圧ＶCnに変換される。これらの直流電圧ＶAnおよび直流電圧ＶCnは、主電源制御部１３n およびＤＣ／ＤＣ変換部３１へ供給される。これにより、主電源制御部１３n および主制御部３０は、動作可能な状態になる。
【００８８】
また、制御電源２０３n からの直流電圧ＶBnは、給電経路Ｌn1を経由し、突入電流防止回路１０２n を介してＤＣ／ＤＣ変換部２０２n へ供給される。ここで、給電経路Ｌn1におけるラインドロップは、経路長が短いため、ほぼ０Ｖである。また、直流電圧ＶBnは、図４に示した８Ｖであるものとする。そして、直流電圧ＶBnは、ＤＣ／ＤＣ変換部２０２n により、図４に示した５Ｖの直流定電圧ＶINn に変換される。この直流定電圧ＶINn がユニット側制御部１７n に供給されることにより、ユニット側制御部１７n は、動作可能状態となる。このとき、主電源１２n のＡＣ／ＤＣ変換機能がオフ状態にあり、主電源１２n からは、直流電圧ＶDCn が出力されていないものとする。
【００８９】
そして、主制御部３０の起動スイッチ（図示略）が押下されると、所定のシーケンスに従って、主制御部３０からは、インタフェース１８1 〜１８n を介して、ユニット側制御部１７1 〜１７n のそれぞれへオン信号が送信される。これにより、前述した動作を経て、主電源１２1 〜１２n からは、直流電圧ＶDC1 〜ＶDCn が出力される。これらの直流電圧ＶDC1 〜ＶDCn は、直流電圧ＶDCとして負荷２０へ供給される。
【００９０】
ここで、図４に示した時刻ｔ1 で制御電源２０３1 に異常が発生すると、制御電源２０３1 から主電源制御部１３1およびユニット側制御部１７1 への直流電圧の供給が停止する。このとき、ＤＣ／ＤＣ変換部２０２1 には、給電経路Ｌ11に代えてバックアップ用給電経路Ｌ12で、制御電源２０３2 （図示略）〜２０３n からのバックアップ用直流電圧ＶB1’が供給される。ここで、バックアップ用給電経路Ｌ12（ケーブル長）が長い場合、かかるバックアップ用給電経路Ｌ12でラインドロップＶL が生じる。したがって、バックアップ用直流電圧ＶB1’は、図４に示したように、直流電圧ＶBn（直流電圧ＶB1）よりラインドロップＶL 分だけ低下する。
【００９１】
しかしながら、バックアップ用直流電圧ＶB1’は、ＤＣ／ＤＣ変換部２０２1 により、ラインドロップＶL に関わらず、図４に示した一定の５Ｖの直流定電圧ＶIN1 に変換される。すなわち、ＤＣ／ＤＣ変換部２０２1 は、ラインドロップＶL の電圧補償を行っているのである。したがって、ユニット側制御部１７1 には、制御電源２０３1 の異常に関わらず、図４に示した一定（５Ｖ）の直流定電圧ＶIN1 が常に供給されるのである。
【００９２】
また、ユニット側制御部１７1 は、主電源制御部１３1 との間で通信ができないという通信異常状態になる。これにより、ユニット側制御部１７1 は、電源ユニット２０１1 内部で異常が発生したことを示す異常検出信号をインタフェース１８1 を介して主制御部３０へ送信する。この異常検出信号を受信すると、主制御部３０は、電源ユニット２０１1 に異常が発生したことを示す電源ユニット異常アラームを報知する。
【００９３】
以上説明したように、実施の形態２によれば、ＤＣ／ＤＣ変換部２０２1 〜２０２n を設けてラインドロップ分を補償し、常に一定の直流定電圧ＶIN1 〜ＶINn をユニット側制御部１７1 〜１７n に供給するようにしたので、さらに信頼性を高めることができる。
【００９４】
以上本発明にかかる実施の形態１および２について図面を参照して詳述してきたが、具体的な構成例はこれらの実施の形態１および２に限られるものではなく、本発明の要旨を逸脱しない範囲の設計変更等があっても本発明に含まれる。たとえば、実施の形態１および２では、ＡＣ／ＤＣ変換機能を備える電源装置について説明したが、ＡＣ／ＡＣ変換機能、ＤＣ／ＡＣ変換機能またはＤＣ／ＤＣ変換機能を備える電源装置であってもよい。
【００９５】
【発明の効果】
以上説明したように、本願発明の態様の一つによれば、自電源ユニット内の制御電源に加えて、他の電源ユニット内の制御電源からも自電源ユニット内の制御手段へ制御用電圧を並列的に供給するように構成したので、自電源ユニット内の制御電源に異常が発生した場合であっても、当該制御手段が、他の電源ユニット内の制御電源から制御用電圧の供給を受けることができ、自電源ユニット内の異常を外部に通知することができることから、信頼性を高めることができるという効果を奏する。
【００９６】
また、本願発明の態様の一つによれば、他の電源ユニット内の制御電源からバックアップ用としての制御用電圧を自電源ユニット内の制御手段へ供給するように構成したので、従来のように外部に制御電源を別設した場合に比して、電源数、ケーブル数を減らすことができることから、コストを低減することができるという効果を奏する。
【００９７】
また、本願発明の態様の一つによれば、変換手段を設けてラインドロップ分を補償し、常に一定の制御用電圧を制御手段に供給するようにしたので、さらに信頼性を高めることができるという効果を奏する。
【００９８】
また、本願発明の態様の一つによれば、突入電流防止手段を設けて、電源ユニットを活線接続した場合であっても、電源ユニットへの突入電流の流入を防止するようにしたので、活線保守を安全に遂行することができるという効果を奏する。
【図面の簡単な説明】
【図１】本発明にかかる実施の形態１の構成を示すブロック図である。
【図２】本発明にかかる実施の形態２の構成を示すブロック図である。
【図３】同実施の形態２の具体的構成を示す回路図である。
【図４】同実施の形態２における電圧特性を示す図である。
【図５】従来の電源装置１０の構成を示すブロック図である。
【図６】従来の電源装置４０の構成を示すブロック図である。
【符号の説明】
１４1 〜１４n 、１６1 〜１６n ダイオード
１００  電源装置
１０１1 〜１０１n 電源ユニット
１０２1 〜１０２n 突入電流防止回路
２００  電源装置
２０１1 〜２０１n 電源ユニット
２０２1 〜２０２n ＤＣ／ＤＣ変換部
【図１】
0004441029.tif 000002
【図２】
0004441029.tif 000003
【図３】
0004441029.tif 000004
【図４】
0004441029.tif 000005
【図５】
0004441029.tif 000006
【図６】
0004441029.tif 000007